(57)【要約】【課題】互いに逆向きの折り筋と折りを常時許容するシステムに較べ、記録材の見栄えやダメージが改善された画像形成システムを提供する。【解決手段】  記録材に画像を形成する画像形成機と、上記画像形成機の後段に接続され、上記記録材に折り筋を形成する折り筋機と、上記折り筋機の後段に接続され、上記記録材を折る折機と、上記記録材の表裏方向における折り筋の向きと、その記録材の表裏方向における折りの向きとを表した指示を受け付ける指示受付部とを備え、上記折機が、互いに異なる第１種折機と第２種折機とのうち第１種折機である場合には、上記折り筋機と上記折機で互いに同じ向きの折り筋と折りが実行され、上記折機が第２種折機である場合には、上記折り筋機と上記折機で互いに逆向きの折り筋と折りが実行される。【選択図】図１０
2018017794.tif 000002
【特許請求の範囲】
【請求項１】
記録材に画像を形成する画像形成機と、
前記画像形成機の後段に接続され、前記記録材に折り筋を形成する折り筋機と、
前記折り筋機の後段に接続され、前記記録材を折る折機と、
前記記録材の表裏方向における折り筋の向きと、該記録材の表裏方向における折りの向きとを表した指示を受け付ける指示受付部とを備え、
前記折機が、互いに異なる第１種折機と第２種折機とのうち該第１種折機である場合には、前記折り筋機と前記折機で互いに同じ向きの折り筋と折りが実行され、前記折機が該第２種折機である場合には、前記折り筋機と前記折機で互いに逆向きの折り筋と折りが実行されることを特徴とする画像形成システム。
【請求項２】
前記指示受付部で受け付けられた、前記折機に適合しない向きの折り筋と折りを表した指示を、前記折機に適合した向きの折り筋と折りを表した指示に変更する指示変更部を備えたことを特徴とする請求項１記載の画像形成システム。
【請求項３】
前記指示変更部が、前記指示が表した折り筋の向きを変更するものであることを特徴とする請求項２記載の画像形成システム。
【請求項４】
前記指示受付部が、前記折機に適合しない向きの折り筋と折りを表した指示を拒否するものであることを特徴とする請求項１記載の画像形成システム。
【発明の詳細な説明】
【技術分野】
【０００１】
本発明は、画像形成システムに関する。
【背景技術】
【０００２】
従来、後処理機として、用紙（記録材の一種）を折る折機と、用紙に折り筋を付けるが折らずに送出する折り筋機との双方を備える画像形成システムが知られている。
【０００３】
例えば特許文献１には、後処理として折り処理が実施できないような場合であっても代替手法を提供する画像形成システムとして、用紙に対する後処理として用紙に折りを施す折り処理が指定されたジョブを実行する場合において、後処理装置３００において折り処理を実行することができないことを判断したときは、折り処理に代えて筋付け処理を実施する代替制御モードに移行する画像形成システムが開示されている。
【先行技術文献】
【特許文献】
【０００４】
【特許文献１】特開２０１５−０９２２０８号公報
【発明の概要】
【発明が解決しようとする課題】
【０００５】
筋付け処理と折り処理とが１つの記録材に対して重ねて実行されることにより、強度の高い折りが実現されると考えられる。しかし、折り処理によって折られる位置が、筋付け処理によって得られる折り筋の位置とズレた場合には、折り筋の向きと折りの向きとが逆向きであると見栄えが悪く、記録材に与えるダメージも大きい。
【０００６】
本発明は、互いに逆向きの折り筋と折りを常時許容するシステムに較べ、記録材の見栄えやダメージが改善された画像形成システムを提供することを目的とする。
【課題を解決するための手段】
【０００７】
請求項１に係る画像形成システムは、
記録材に画像を形成する画像形成機と、
上記画像形成機の後段に接続され、上記記録材に折り筋を形成する折り筋機と、
上記折り筋機の後段に接続され、上記記録材を折る折機と、
上記記録材の表裏方向における折り筋の向きと、その記録材の表裏方向における折りの向きとを表した指示を受け付ける指示受付部とを備え、
上記折機が、互いに異なる第１種折機と第２種折機とのうち第１種折機である場合には、上記折り筋機と上記折機で互いに同じ向きの折り筋と折りが実行され、上記折機が第２種折機である場合には、上記折り筋機と上記折機で互いに逆向きの折り筋と折りが実行されることを特徴とする。
【０００８】
請求項２に係る画像形成システムは、請求項１の画像形成システムにおいて、
上記指示受付部で受け付けられた、上記折機に適合しない向きの折り筋と折りを表した指示を、上記折機に適合した向きの折り筋と折りを表した指示に変更する指示変更部を備えたことを特徴とする。
【０００９】
請求項３に係る画像形成システムは、請求項２の画像形成システムにおいて、
上記指示変更部が、上記指示が表した折り筋の向きを変更するものであることを特徴とする。
【００１０】
請求項４に係る画像形成システムは、請求項１の画像形成システムにおいて、
上記指示受付部が、上記折機に適合しない向きの折り筋と折りを表した指示を拒否するものであることを特徴とする。
【発明の効果】
【００１１】
請求項１に係る画像形成システムによれば、互いに逆向きの折り筋と折りを常時許容するシステムに較べ、記録材の見栄えやダメージが改善される。
【００１２】
請求項２に係る画像形成システムによれば、指示として、折機に適合した指示を得ることができる。
【００１３】
請求項３に係る画像形成システムによれば、折りの向きを優先して折り筋の向きを決めることができる。
【００１４】
請求項４に係る画像形成システムによれば、折機に適合した指示のみを受け付けることができる。
【図面の簡単な説明】
【００１５】
【図１】画像形成システムの第１実施形態に相当する印刷システムの概略的な外観図である。
【図２】図１に示す印刷システムの概略的な機能構成図である。
【図３】ジョブ管理画面を示す図である。
【図４】ジョブのプロパティ画面で紙折り設定を含んだ第１タブが選択された状態を示す図である。
【図５】紙折りの種類を選択するメニューを示す図である。
【図６】プロパティ画面で第２タブが選択された状態を示す図である。
【図７】折り目の設定画面を示す図である。
【図８】確認画面の第１例を示す図である。
【図９】確認画面の第２例を示す図である。
【図１０】印刷制御部における折り筋および紙折りの方向制御を表したフローチャートである。
【図１１】画像形成システムにおける第１のシステム構成を示す図である。
【図１２】画像形成システムにおける第２のシステム構成を示す図である。
【図１３】画像形成システムにおける第３のシステム構成を示す図である。
【図１４】画像形成システムにおける第４のシステム構成を示す図である。
【図１５】画像形成システムにおける第５のシステム構成を示す図である。
【図１６】画像形成システムにおける第６のシステム構成を示す図である。
【図１７】画像形成システムにおける第７のシステム構成を示す図である。
【発明を実施するための形態】
【００１６】
本発明実施形態について、以下図面を参照して説明する。
【００１７】
図１は、画像形成システムの第１実施形態に相当する印刷システムの概略的な外観図である。
【００１８】
この印刷システム１は、外観上、印刷サーバ２と出力装置３とがケーブルで接続された構造を有している。
【００１９】
印刷サーバ２は、ユーザ表示部１０と本体部２０を有する。ユーザ表示部１０は、印刷システム１のユーザに対する情報表示を担うとともに、例えばタッチパネル式の表示画面を介してユーザによる操作を受け付ける。本体部２０は、ＣＰＵや記憶装置などを備えており、印刷システム１の制御を担う。
【００２０】
出力装置３は、本体となる印刷機３０と、後処理機（フィニッシャ）として印刷機１０に接続される折り筋機４０および折機５０を備えている。
【００２１】
印刷機３０は、記録材の一種としての用紙に例えば電子写真方式やインクジェット方式などで画像を形成して送出するものである。本実施形態では、印刷機３０として、記録材の片面に対する印刷にも両面に対する印刷にも対応した装置が備えられているものとする。この印刷機３０が、本発明にいう画像形成機の一例に相当する。
【００２２】
折り筋機４０は、印刷機３０から送出された用紙に折り筋を付けて開き、開かれた状態の用紙を送出するものである。出力装置３に折り筋機４０として備えられる装置は、用紙に折り筋を付ける折り筋処理以外に、用紙の天地を裁断する天地裁断処理の機能も有する場合がある。この折り筋機４０が、本発明にいう折り筋機の一例に相当する。
【００２３】
折機５０は、折り筋機４０から送出された用紙を折り、折られた状態の用紙を送出するものである。出力装置３に折機５０として備えられる装置は、紙折りの処理以外にステープル処理やパンチ処理の機能も有する場合がある。この折機５０が、本発明にいう折機の一例に相当する。
【００２４】
折り筋機４０および折機５０の双方がフィニッシャーとして接続されている場合には、折り筋機４０による折り筋の処理と折機５０による紙折りの処理は、単独での実施も、同一の用紙に対する重ねての実施も選択され得る。折り筋の処理と紙折りの処理が重ねて実施される場合は、折り筋の処理が紙折りの処理の前に施されることが必要であるため、折り筋機４０は印刷機３０と折機５０との間に接続される。
【００２５】
図２は、図１に示す印刷システムの概略的な機能構成図である。
【００２６】
機能構成として見た場合も、印刷システム１は印刷サーバ２と出力装置３とを備え、出力装置は印刷機３０と折り筋機４０と折機５０を備えている。
【００２７】
印刷サーバ２は、上述したユーザ表示部１０を備えるとともに、ジョブ管理部２１と印刷制御部２２が上述した本体部２０に組み込まれている。ジョブ管理部２１は、パーソナルコンピュータなどに代表される外部装置５に、例えばＬＡＮ等といった通信網を介して接続され、印刷対象の画像を表した画像データを含んだジョブデータを受け取って管理するものである。印刷制御部２２は、印刷部数や用紙の種類などを表した印刷情報を、ユーザ表示部１０を介して設定されてその印刷情報をジョブデータとともに出力装置３に送って印刷を実行させるものである。出力装置３が後処理機を備えている場合は、後処理機の設定も印刷情報に含まれる。本実施形態のように、後処理機として折り筋機４０および折機５０を備えている場合には、折り筋および紙折りについて、向きや数や位置などが設定される。具体的な設定方法については後で詳述する。
【００２８】
出力装置３の印刷機３０には、制御部３１および印刷部３２が組み込まれている。印刷部３２は、画像形成を実行する機械機構であり、制御部３１は、後処理機である折り筋機４０および折機５０も含めた出力装置３の機械的な動作を、上述した印刷情報に従って制御するものである。また、制御部３１は、折り筋機４０および折機５０から、機種などといった装置情報を入手し、その装置情報を印刷サーバ２の印刷制御部２２に通知する役割も有する。
【００２９】
折り筋機４０によって折り筋が付けられた用紙は、一般に、折り筋の折り目に対して逆向きに紙折りが施されることによって成果物となり、例えば折り筋が谷折りである場合は、紙折りは山折りとなる。このように折り筋と紙折りの向きが互いに逆向きであると、強度の高い紙折りが実現される。このような折り筋機４０は、折機５０と比較して最近になって登場した装置であり、最終的に成果物を得るための紙折りは人の手による実施が想定されている場合も多い。紙折りが人の手で実施される場合には、紙折りの位置が折り筋の位置に追わせて微調整されるため、位置がズレることは少ない。
【００３０】
一方、折機５０としては複数の機種が存在し、折り筋機４０の存在を前提としていないために上記微調整が設計時に考慮されていない折機５０も存在する。このため、折機５０の機種によっては、折り筋がついた用紙に対する紙折りが実施された場合に、折り目位置と紙折り位置にズレが生じる虞がある。このような位置ズレを生じると、見栄えが悪いだけで無く、用紙のダメージも大きい。そこで、本実施形態では、位置ズレの発生を回避して用紙の見栄えの悪化やダメージを回避するための制御が行われる。
【００３１】
以下、折り筋および紙折りの設定および制御について詳しく説明する。
【００３２】
図３は、ジョブ管理画面を示す図である。
【００３３】
このジョブ管理画面１０１は、印刷サーバ２のユーザ表示部１０に表示される画面であり、ジョブ表示欄１０２には、図２に示すジョブ管理部２１が受け付けた各ジョブデータが表す各ジョブ１０３について、ＩＤ番号とジョブ名と付加情報とデータサイズと受信開始日時が一覧表示される。
【００３４】
このジョブ管理画面１０１上で１つのジョブ１０３が選択されてプロパティの表示が指示されるとプロパティ画面がポップアップ表示される。
【００３５】
図４は、ジョブのプロパティ画面で紙折り設定を含んだ第１タブが選択された状態を示す図である。
【００３６】
プロパティ画面１０５には、３つのタブ１０６，１０７，１０８が備えられており、図４には、そのうち第１タブ１０６が選択された状態が示されている。第１タブ１０６では折機５０に対する設定が行われ、具体的には、ステープル処理の内容が設定されるステープル設定欄１１１と、パンチ処理の内容が設定されるパンチ設定欄１１２と、紙折り処理の内容が設定される紙折り設定欄１１３が備えられている。また、設定された内容に従った処理のイメージが表示されるプレビュー欄１２０も備えられている。
【００３７】
これらの設定欄については、印刷機３０の制御部３１を介して折機５０から入手される装置情報を反映した設定制御が行われる。例えば、ステープル機能を持たない折機５０やパンチ機能を持たない折機５０については、ステープル設定欄１１１やパンチ設定欄１１２における設定値が「しない」に固定される。ステープル機能を持った折機５０やパンチ機能を持った折機５０については、ステープル設定欄１１１やパンチ設定欄１１２は、設定値として「しない」、「する」を選択し得る状態となる。
【００３８】
紙折り設定欄１１３には、種類設定欄１１４と枚数設定欄１１５が設けられており、枚数設定欄１１５では一度に束として紙折りが施される用紙の枚数が、最大１５枚までの範囲で選択的に設定される。種類設定欄１１４では、紙折りの種類がプルダウンメニューによって選択的に設定される。
【００３９】
図５は、紙折りの種類を選択するメニューを示す図である。
【００４０】
種類設定欄１１４のプルダウンメニュー１１６には、紙折りの種類として例えば、紙を一つの折り線で二つに折る二つ折りや、二つの折り線それぞれで互いに逆向きに折るＺ折りや、二つの折り線それぞれで互いに同じ向きに折る内三つ折りなどが並んでいる。また、プルダウンメニュー１１６には、紙折りの種類だけでなく、紙折りの向きも含めた設定を表したメニュー項目も並んでおり、例えば「二つ折り（内側に印字）」というメニュー項目は、印字面を上面とすれば、印字面を内側にした谷折りに折ることを意味している。
【００４１】
このようなプルダウンメニュー１１６からメニュー項目が選択されることによって、折機５０に対する紙折りの種類と向きの指示が設定される。
【００４２】
次に、プロパティ画面１０５の第２タブ１０７における設定について説明する。
【００４３】
図６は、プロパティ画面で第２タブが選択された状態を示す図である。
【００４４】
プロパティ画面１０５の第２タブ１０７では折り筋機４０に対する設定が行われ、具体的には、折り目（折り筋）の設定と天地裁断の設定が行われる。プロパティ画面１０５の第２タブ１０７には、設定内容表示欄１２１と、編集ボタン１２２と、プレビュー欄１２３が設けられている。
【００４５】
設定内容表示欄１２１には、折り目（折り筋）と天地裁断の設定内容が文字で記載され、プレビュー欄１２３には、それらの設定内容に従った処理のイメージが表示される。
【００４６】
編集ボタン１２２が選択されると、それらの設定内容を編集する設定画面がポップアップ表示される。
【００４７】
図７は、折り目の設定画面を示す図である。
【００４８】
この設定画面１２５は、タブ１２６の選択によって天地裁断の設定画面にも切り換えられ得る画面であるが、以下ではこの設定画面１２５で折り目（折り筋）の設定が行われるものとして説明し、天地裁断の設定については説明を省略する。
【００４９】
この設定画面１２５には、チェックボックス１３１と、種類設定欄１３２と、方向設定欄１３３と、カスタム設定欄１３４と、プレビュー欄１４０が設けられている。
【００５０】
チェックボックス１３１にチェックが入れられることで、折り筋機４０に折り筋処理を実行させることが設定され、チェックボックス１３１のチェックが外されると、折り筋処理は行われないことが設定される。
【００５１】
種類設定欄１３２ではプルダウンメニューによって折り筋の種類が設定される。折り筋の種類としては、上述した折りの種類と同様な二つ折りやＺ折りや内三つ折りなどがメニューに並び、更には、外三つ折りや観音折りや巻き四つ折りや蛇腹折りなどもメニューに並ぶ。折り筋機４０では１枚ごとに折り筋を付けるとともに折り曲げは行われないので折り筋の自由度が折機５０よりも高く、折り筋の種類として「カスタム」も選択される。
【００５２】
方向設定欄１３３では折り筋の方向（向き）が設定される。但し、例えば「内側印字」という設定の場合、印字面を上面とすると折り筋は谷折りではなくて山折りを意味している。これは、手折りなどの場合に折り筋とは逆向きに紙折りが行われることで強い折りが実現するため、印刷分野などで普及している表現に従ったものである。
【００５３】
カスタム設定欄１３４は、種類設定欄１３２で「カスタム」が選択された場合にアクティブとなる。カスタム設定欄１３４には、本数設定欄１３５と、折り方設定欄１３６と、強さ設定欄１３７と、位置設定欄１３８が設けられている。
【００５４】
本数設定欄１３５では最大５本までの本数が設定され、ここで設定された本数と同じ数だけ、折り方設定欄１３６と強さ設定欄１３７と位置設定欄１３８の組がカスタム設定欄１３４に表示される。
【００５５】
折り方設定欄１３６では、各折り筋について「山折り」か「谷折り」のいずれかが選択されて設定される。強さ設定欄１３７では折り筋を付ける強さが設定され、位置設定欄１３８では、各折り筋の位置が基点からの距離によって設定される。
【００５６】
プレビュー欄１４０には、折り筋の設定内容に従った処理のイメージが表示される。
【００５７】
以上説明した各画面によって、折り筋と紙折りが設定されるが、本実施形態では、設定に際して以下説明する禁則処理が実行される。この禁則処理では、折り筋の向きと紙折りの向きの組合せについて、上述したように折りを強化する組合せのみが許可される。即ち、折り筋の向きと紙折りの向きが互いに逆向きである組合せのみが許可され、折り筋の向きと紙折りの向きが互いに同じ向きである組合せは拒絶される。また、折り筋機４０の自由度に較べて折機５０の自由度が低いため、同一の用紙に対して折り筋処理と紙折り処理の両方が施される場合は二つ折りの設定のみが許可されることになっている。
【００５８】
これらの禁則処理に反した設定がユーザによって選択された場合には確認画面が表示され、禁則処理に従った設定が求められる。
【００５９】
図８は、確認画面の第１例を示す図である。
【００６０】
この第１例の確認画面１４１は、紙折り処理として「Ｚ折り（右とじ／下とじ）」が設定された後で、折り筋処理の実行が選択された場合に表示される画面である。この場合、後から選択された折り筋処理の実行が優先され、その選択との組合せとして禁則処理で許可される紙折り処理の設定として「しない」への設定変更が提案される。
【００６１】
確認画面１４１には、はいボタン１４２といいえボタン１４３が備えられており、はいボタン１４２が選択されると提案されたように紙折り処理の設定が「しない」に変更され、いいえボタン１４３が選択されると、直前に設定された、折り筋処理の実行がキャンセルされて、折り筋処理の設定画面に戻る。
【００６２】
図９は、確認画面の第２例を示す図である。
【００６３】
この第２例の確認画面１４５は、折り筋処理の設定として「二つ折り」かつ「内側印字」が選択された後、紙折り処理として「二つ折り（外側に印字）」が選択された場合に表示される画面である。この場合も、後で選択された設定事項である「二つ折り（外側に印字）」の紙折り処理が優先され、その設定との組合せとして禁則処理で許可される折り筋処理の設定として「外側印字」への変更が提案される。
【００６４】
第２例の確認画面１４５にも、はいボタン１４６といいえボタン１４７が備えられており、はいボタン１４６が選択されると提案されたように折り筋処理の設定が「外側印字」に変更され、いいえボタン１４７が選択されると、直前に選択された「二つ折り（外側に印字）」の紙折り処理がキャンセルされて、紙折り処理の設定画面に戻る。
【００６５】
このような禁則処理で制限された組合せの設定が折り筋処理と紙折り処理の設定としてユーザ表示部１０を介して印刷制御部２２に受け付けられた後、本実施形態では、印刷制御部２２によって、出力装置３に組み込まれている折り筋機４０および折機５０の能力に応じた折り筋および紙折りの方向制御が実行される。
【００６６】
図１０は、印刷制御部における折り筋および紙折りの方向制御を表したフローチャートである。
【００６７】
印刷制御部２２は、ユーザ表示部１０を介して、上述した設定画面で設定された折り筋と紙折りの設定情報を取得する（ステップＳ１０１）。また、印刷制御部２２は、印刷機３０の制御部３１を介して、折り筋機４０および折機５０の装置情報を取得する。本実施形態では、この装置情報に、折り筋機４０および折機５０の性能を表した情報（コンフィグ情報）も含まれているものとする（ステップＳ１０２）。
【００６８】
なお、装置情報に性能が含まれていない場合には、機種と性能とが予め対応付けられた対応表を印刷制御部２２あるいは印刷機３０の制御部３１が備えていて、この対応表と装置情報に含まれた機種とが照合されることで性能が認識されてもよい。また、装置の性能としては、必ずしも折り筋機４０および折機５０の両方について認識されることは必須ではなく、少なくとも折機５０について認識されればよい。
【００６９】
次に、互いに逆向きの折り筋と紙折りの処理が可能であるか否かがコンフィグ情報に基づいて判定される。言い換えると、折り筋機４０との組合せとしての折機５０が、折り筋とは逆向きの紙折り処理に対応した装置であるか否かが判定される（ステップＳ１０３）。
【００７０】
この判定で、折機５０が逆向きの紙折り処理に対応していない第１種折機であると判定された場合（ステップＳ１０３：Ｎｏ）には、紙折り処理の方向に合わせて折り筋処理の方向が指定される。上述したように、折り筋機４０に較べて折機５０は自由度が低いので、紙折り処理の方向を優先して折り筋処理の方向が決められることで適切な組合せが得られることになる。即ち、折機５０における紙折りの方向がコンフィグ情報で確認され（ステップＳ１０４）、紙折りの方向が山折りであれば折り筋の方向も山折りに指定され（ステップＳ１０５）、紙折りの方向が谷折りであれば折り筋の方向も谷折りに指定される（ステップＳ１０６）。従って、折機５０が第１種折機である場合には、ユーザ表示部１０を介した設定における禁則処理に反する向きの紙折りと折り筋の組合せが結果として実行されることになる。印字面に関しては、設定された「内側印字」などに合わせた側に印刷機３０で印刷されることで設定通りの印字面が実現されるものとする。
【００７１】
ここで、第１種折機としては、例えば、折り筋の向きとは逆向きに折る場合に折り位置が折り筋の位置とはズレてしまう虞があるような低い性能の折機が想定される。但し、ここでいう「低い性能」とは、折り処理そのものの性能を必ずしも意味していない。例えば折り筋が無ければ折り位置は常に正確な折機であるが、折り筋が入った用紙に対する折り処理を想定していないので、折り筋の入った用紙を折り筋の向きとは逆向きに折る場合には折り筋に邪魔されて折り位置がズレてしまうような折機なども、ここでは「低い性能」の第１種折機として扱われる。
【００７２】
このような第１種折機では、折り位置がズレることによる見栄えの悪さや用紙のダメージを回避するため、上記禁則処理に反してでも互いに同方向の折り筋と紙折りが実行される。また、設定時には上記禁則処理が実行され、その後に指示が変更される構成となっていることで、設定時にはユーザに違和感を持たせることがなく、指示としては折機５０などの性能に適合した指示となる。
【００７３】
上述したステップＳ１０３の判定で、折機５０が逆向きの紙折り処理に対応している第２種折機であると判定された場合（ステップＳ１０３：Ｙｅｓ）には、折り筋処理の方向が紙折り処理の方向とは逆向きに指定される。即ち、折機５０における紙折りの方向がコンフィグ情報で確認され（ステップＳ１０７）、紙折りの方向が山折りであれば折り筋の方向は谷折りに指定され（ステップＳ１０８）、紙折りの方向が谷折りであれば折り筋の方向は山折りに指定される（ステップＳ１０９）。折機５０が第２種折機である場合には、上記禁則処理に従った紙折りと折り筋の組合せが実現する。また、印字面についても、設定に合わせた側への印刷が印刷機３０で行われることで設定通りの印字面が実現される。
【００７４】
以下、本発明の画像形成システムにおけるシステム構成のバリエーションについて説明する。
【００７５】
図１１は、画像形成システムにおける第１のシステム構成を示す図である。
【００７６】
図１１に示す第１のシステム構成は、図１および図２に示す印刷システム１と同様のシステム構成である。即ち、画像形成システム２００はサーバ２１０と出力装置２２０とを備えている。図示は省略するが、出力装置２２０には本発明にいう画像形成機と折り筋機と折機との各一例が組み込まれているものとする。
【００７７】
サーバ２１０には、本発明にいう指示受付部の一例に相当する受付部２３０と、本発明にいう指示変更部の一例に相当する変更部２４０が備えられている。図１および図２に示す印刷システム１の場合は、印刷制御部２２が、受付部２３０と変更部２４０とを兼ねている。
【００７８】
第１のシステム構成の場合、受付部２３０で受け付けられた指示に対し、必要に応じて変更部２４０が、出力装置２２０に備えられた折機の性能や機種などに応じた変更を加えることで、折機に適合した方向での折り筋と紙折りが出力装置２２０で実行されることになる。
【００７９】
図１２は、画像形成システムにおける第２のシステム構成を示す図である。
【００８０】
図１２に示す第２のシステム構成では、上述した変更部２４０が出力装置２２０に備えられている。図１および図２に示す印刷システム１に当てはめるならば、例えば印刷機３０の制御部３１が変更部２４０として機能することになる。
【００８１】
この第２のシステム構成は、第１のシステム構成と較べ、機能を果たす場所が内部的に変わるだけで外見的には同様の動作を行うシステム構成である。
【００８２】
図１３は、画像形成システムにおける第３のシステム構成を示す図である。
【００８３】
図１３に示す第３のシステム構成では、受付部２３０と変更部２４０の両方が出力装置２２０に備えられている。図１および図２に示す印刷システム１に当てはめるならば、例えば印刷機３０の制御部３１が受付部２３０および変更部２４０として機能することになる。
【００８４】
この第３のシステム構成の場合、受付部２３０は出力装置２２０が有する操作部を介して折り筋や紙折りの指示を受け付ける。
【００８５】
図１４は、画像形成システムにおける第４のシステム構成を示す図である。
【００８６】
図１４に示す第４のシステム構成では、受付部２３０がサーバ２１０に備えられているが、変更部２４０は画像形成システム２００内の何処にも備えられていない。従って、この第４のシステム構成では、受付部２３０で受け付けられた指示が、折機に適合した方向での折り筋と紙折りを指示するものとなっていることが必要となる。このため、この第４のシステム構成における画像形成システム２００では、例えば図１および図２に示す印刷システム１と同様の設定画面による設定が行われるが、禁則処理では、出力装置２２０に備えられた折機に適合した向きでの折り筋や紙折りの設定のみが許可される。この結果、折機に適合した方向での折り筋と紙折りを表した指示のみが得られることになる。特に、出力装置２２０に備えられた折機が上述した第１種折機であって、折り筋とは逆向きの紙折りで位置ズレを起こす虞がある場合には、禁則処理で、互いに同じ向きの折り筋と紙折りの設定のみが許可される。逆に、出力装置２２０に備えられた折機が上述した第２種折機であって、折り筋とは逆向きの紙折りでも位置ズレを起こす虞がない場合には、禁則処理は図１および図２に示す印刷システム１と同様の禁則処理となる。
【００８７】
図１５は、画像形成システムにおける第５のシステム構成を示す図である。
【００８８】
図１５に示す第５のシステム構成では、上述した受付部２３０が出力装置２２０に備えられており、受付部２３０は出力装置２２０が有する操作部を介して折り筋や紙折りの指示を受け付ける。
【００８９】
また、この第５のシステム構成でも変更部２４０が備えられていないので、出力装置２２０に備えられた折機に適合した向きでの折り筋や紙折りの設定のみが許可される禁則処理によって指示が受け付けられる。この結果、折機に適合した方向での折り筋と紙折りを表した指示のみが得られることになる。
【００９０】
図１６は、画像形成システムにおける第６のシステム構成を示す図である。
【００９１】
図１６に示す第６のシステム構成では、画像形成システム２００が出力装置２２０のみを有する。そして、出力装置２２０に受付部２３０と変更部２４０が備えられている。このように、本発明の画像形成システムでは、サーバの存在は必須ではない。
【００９２】
図１７は、画像形成システムにおける第７のシステム構成を示す図である。
【００９３】
図１７に示す第７のシステム構成でも、画像形成システム２００は出力装置２２０のみを有し、出力装置２２０に受付部２３０が備えられている。このような簡素なシステムでも、本発明の画像形成システムとして機能する。
【符号の説明】
【００９４】
１……印刷システム、  ２……印刷サーバ、  ３……出力装置、  １０……ユーザ表示部、  ２０……本体部、  ２１……ジョブ管理部、  ２２……印刷制御部、  ３０……印刷機、  ３１……制御部、  ３２……印刷部、  ４０……折り筋機、  ５０……折機、
【図１】
2018017794.tif 000003
【図２】
2018017794.tif 000004
【図３】
2018017794.tif 000005
【図４】
2018017794.tif 000006
【図５】
2018017794.tif 000007
【図６】
2018017794.tif 000008
【図７】
2018017794.tif 000009
【図８】
2018017794.tif 000010
【図９】
2018017794.tif 000011
【図１０】
2018017794.tif 000012
【図１１】
2018017794.tif 000013
【図１２】
2018017794.tif 000014
【図１３】
2018017794.tif 000015
【図１４】
2018017794.tif 000016
【図１５】
2018017794.tif 000017
【図１６】
2018017794.tif 000018
【図１７】
2018017794.tif 000019